(57)【要約】【課題】ラップフィルム等のロール状包装材料を収納するカートンであって、開口した状態を保持することができ、蓋体の再封性が可能であるロール状包装材料収納カートンを提供する。【解決手段】本発明は、本体前板、本体底板、本体後板、両本体側板からなるカートン本体とその上方開口部の一側縁に連接された蓋体を有するロール状包装材料収納カートンであって、本体後板の上部にヒンジ部を設け、該ヒンジ部によって蓋体と本体後板のヒンジ部より上側の本体後板上部を開閉自在としていることを特徴とし、そのヒンジ部が、断続的に並んで設けられた複数の切れ目からなり、各切れ目はそれらの端が並び方向に離間した状態で、かつ、それらが並び方向に向かって二直線上に左右交互に設けられていることを特徴とする。【選択図】図１
2006298448.tif 000002
【特許請求の範囲】
【請求項１】
ラップフィルム等のロール状包装材料が収納される本体前板、本体底板、本体後板、両本体側板からなるカートン本体とその上方開口部の一側縁に連接された蓋体を有するロール状包装材料収納カートンであって、前記本体後板の上部にヒンジ部を設け、該ヒンジ部によって前記蓋体と前記本体後板の前記ヒンジ部より上側の本体後板上部を開閉自在としていることを特徴とするロール状包装材料収納カートン。
【請求項２】
前記ヒンジ部が、断続的に並んで設けられた複数の切れ目からなり、各切れ目はそれらの端が並び方向に離間した状態で、かつ、それらが並び方向に向かって二直線上に左右交互に設けられていることを特徴とする請求項１に記載のロール状包装材料収納カートン。
【発明の詳細な説明】
【技術分野】
【０００１】
本発明は、食品包装等に用いられるロール状のラップフィルム等を収納するロール状包装材料収納カートンに関するものであり、詳しくは、カートン本体と蓋体とのヒンジ部を改良したロール状包装材料収納カートンに関するものである。
【背景技術】
【０００２】
食品等を包むのに用いられるラップフィルム等の包装材料は、通常、紙ロールに巻かれたロール状包装材料として専用の紙製のカートン内に収納されている。そして、カートンからラップフィルム等の包装材料を所望の長さに引き出した後、カートンに付いた金属等の鋸刃により切断して使用するという形態となっている。ところで、従来のこの種のカートンでは、紙ロールに巻いたラップフィルム等を引き出す時、蓋体をカートン本体から開いて、ラップフィルムの端部を摘まんで引き出す。この時に、開いた蓋体は逆反発で閉じようとし、刃の先端が指に傷つける危険性があった。このために、カートン本体と蓋体のヒンジ部の折れ線を改善した形態が提案されている（例えば、特許文献１参照。）。
【特許文献１】特開平６−８９３６号公報
【発明の開示】
【発明が解決しようとする課題】
【０００３】
しかしながら、上記のロール状包装材料収納カートンでは、ラップフィルム等を引き出す際に、蓋体を持ち上げる抵抗は小さくなるものの、開口した状態を保持することが不十分であり、蓋体の再封性が不十分であり、使用上、満足な形状のものとなっていないという問題がある。
【０００４】
本発明は、上記のような問題点に鑑みなされたものであり、その目的とするところは、ラップフィルム等のロール状包装材料を収納するカートンであって、開口した状態を保持することができ、蓋体の再封性が可能であるロール状包装材料収納カートンを提供することにある。
【課題を解決するための手段】
【０００５】
上記目的を達成するために、本発明の請求項１の発明は、ラップフィルム等のロール状包装材料が収納される本体前板、本体底板、本体後板、両本体側板からなるカートン本体とその上方開口部の一側縁に連接された蓋体を有するロール状包装材料収納カートンであって、前記本体後板の上部にヒンジ部を設け、該ヒンジ部によって前記蓋体と前記本体後板の前記ヒンジ部より上側の本体後板上部を開閉自在としていることを特徴とするロール状包装材料収納カートンである。
【０００６】
また、本発明の請求項１の発明は、請求項１の発明のロール状包装材料収納カートンにおいて、前記ヒンジ部が、断続的に並んで設けられた複数の切れ目からなり、各切れ目はそれらの端が並び方向に離間した状態で、かつ、それらが並び方向に向かって二直線上に左右交互に設けられていることを特徴とするロール状包装材料収納カートンである。
【発明の効果】
【０００７】
請求項１の発明によれば、本発明のロール状包装材料収納カートンは、ラップフィルム等のロール状包装材料が収納される本体前板、本体底板、本体後板、両本体側板からなるカートン本体とその上方開口部の一側縁に連接された蓋体を有するロール状包装材料収納カートンであって、本体後板の上部にヒンジ部を設け、該ヒンジ部によって蓋体と本体後板のヒンジ部より上側の本体後板上部とを開閉自在とすることにより、一度開封してヒンジ部を折り曲げた後、二度目からの蓋体を開口してカートン本体内に収納されたロール状包装材料からラップフィルム等を引き出す時に、蓋体を持ち上げる抵抗は小さくなり、開口した状態を保持することができ、蓋体が反発で閉じて金属刃で指に傷を付ける危険がなくなるという効果を有している。また、蓋体の再封性も十分に行うことができるという効果も有している。
【０００８】
また、請求項２の発明によれば、本発明のロール状包装材料収納カートンは、本体後板の上部に設けるヒンジ部を、断続的に並んで設けられた複数の切れ目からなり、各切れ目はそれらの端が並び方向に離間した状態で、かつ、それらが並び方向に向かって二直線上に左右交互に設けることにより、一度開封してヒンジ部を折り曲げた後、二度目からの蓋体を開口してカートン本体内に収納されたロール状包装材料からラップフィルム等を引き出す時に、このヒンジ部は一度折り曲げることにより極端に抵抗が小さく、反発力が弱くなるため、蓋体を持ち上げる抵抗はより小さくなり、より確実に開口した状態を保持することができるという効果を有している。
【発明を実施するための最良の形態】
【０００９】
つぎに、本発明のロール状包装材料収納カートンの実施の形態を実施例をあげて説明する。図１は、本発明のロール状包装材料収納カートンの実施の形態の一実施例を示す斜視図であり、図２は、図１に示すロール状包装材料収納カートンを形成するブランクの展開図であり、図３は、本発明のロール状包装材料収納カートンのヒンジ部の一例を示す部分拡大平面図であり、図４は、本発明のロール状包装材料収納カートンのヒンジ部の別の例を示す部分拡大平面図であり、図５は、本発明のロール状包装材料収納カートンのヒンジ部のさらに別の例を示す部分拡大平面図であり、図６は、本発明のロール状包装材料収納カートンのヒンジ部のさらに別の例を示す部分拡大平面図であり、図７は、本発明のロール状包装材料収納カートンを折り畳まれた状態に組み立てる工程を説明する図であり、図８は、本発明のロール状包装材料収納カートンにロール状包装材料を収納する工程を説明する図であり、そして、図９は、本発明のロール状包装材料収納カートンを開封する状態を示す斜視図である。
【００１０】
図１は、本発明のロール状包装材料収納カートンの第一の実施の形態の一実施例を示す斜視図であり、ロール状包装材料収納カートンＡは、ラップフィルムＳを紙管Ｔに巻回したロール状包装材料Ｒを収納するカートン本体１０と蓋体２０とから構成されている。通常のロール状包装材料収納カートンと異なり、カートン本体１０から蓋体２０を開閉するヒンジ部Ｚが、蓋体天板２１と本体後板１３の折れ線ｇではなく、カートン本体１０の本体後板１３の上部に設けられていることが特長である。一般家庭や店舗その他において使用する時に、このロール状包装材料収納カートンＡからラップフィルムＳの必要な長さを引き出し、鋸刃Ｃでカットし、主に魚介、蔬菜、果実類等の食品の包装用に使用されている。
【００１１】
図２は、本発明はロール状包装材料収納カートンＡのブランクを示す展開図である。カートンＡ１は、ロール状包装材料Ｒを収納するカートン本体１０の部分とカートン本体１０の開口部を覆う蓋体２０の部分から構成されている。カートン本体１０の部分では本体前板１１、本体底板１２、本体後板１３が順次折れ線ａ、ｂを介して連設され、本体前板１１の両側辺には、本体折り込み片１４、１４がそれぞれ折れ線ｃ、ｃを介して連設され、本体底板１２の両側辺には、本体側板１５、１５がそれぞれ折れ線ｄ、ｄを介して連設され、そして、本体後板１３の両側辺には、本体折り込み片１６、１６がそれぞれ折れ線ｅ、ｅを介して連設されている。
【００１２】
また、本体後板１３の上辺（蓋体天板２１側）の近傍にはヒンジ部Ｚが設けられ、このヒンジ部Ｚを境界にして上側（蓋体天板２１側）の本体後板上部１３ａは、蓋体２０と共に開閉される。
【００１３】
図３−ａ、ｂは、このヒンジ部Ｚの一例を示す部分拡大平面図であり、ヒンジ部Ｚ１は、折曲げ線を構成すべく断続的に並んで設けられた複数の直線状の切れ目１からなり、そして、各切れ目１はそれらの端１ａが並び方向Ｘに離間した状態で、かつ、並び方向Ｘに向かって二直線上に左右交互に設けられている。以下の例でも同じであるが、これらの切れ目１は印刷後にロール状包装材料収納カートンＡを打ち抜く打ち抜き工程で同時に加工される。
【００１４】
このヒンジ部Ｚ１を切れ目１の並び方向Ｘで折り曲げると、並びと直交する向き（曲げ方向Ｙ）に折り曲げ線を生じようとし、板紙等のカートンの材料の組織にはこの曲げ方向Ｙに引張力が作用する。一方、この曲げに伴って隣接する切れ目１の向かい合う端どうしを繋ぐ仮想線ｉで折れようとする。このため、仮想線ｉのところで一種のねじれ現象が生じ、その結果、仮想線ｉの中心付近Ａから切れ目１の端に向かって材料の組織破壊が徐々に大きく起こる。
【００１５】
このように折り曲げが行われることにより、切れ目１の端に近い部分は材料の組織破壊が大きくなるが、隣接する切れ目１の向かい合う端どうしを繋ぐ仮想線ｉの中心付近Ａは材料の組織破壊が小さく、強度があまり落ちない状態を保つ。したがって、このヒンジ部Ｚ１においては、折り曲げ時の反発力が小さくなるとともに、繰り返し折り曲げても切れにくいものとなる。
【００１６】
図４−ａ、ｂはヒンジ部Ｚの別の例を示す部分拡大平面図であり、ヒンジ部Ｚ２は、折り曲げ線を構成すべく断続的に並んで設けられた複数のへの字状の切れ目２からなる。そして、各切れ目２はそれらの端２ａが並び方向Ｘに離間した状態で、かつ、並び方向Ｘに向かって二直線上に左右交互に設けられている。しかも、隣接する切れ目２の折れ曲がり方向が同じ向きとなるようにへの字状に形成されている。
【００１７】
このヒンジ部Ｚ２を切れ目２の並び方向Ｘで折り曲げると、前記したのと同様に一種のねじれ現象を生じながら折り曲げが行われる。ただ、このヒンジ部Ｚ２の場合、隣接する切れ目２の折れ曲がり方向が仮想線ｉと同じになっており、切れ目２の端での組織破壊がスムースであるため、先に説明した直線状の切れ目１からなるヒンジ部Ｚ１に比べると折り曲げやすい。
【００１８】
このように折り曲げが行われることにより、切れ目２の端に近い部分は材料の組織破壊が大きくなるが、隣接する切れ目２の向かい合う端どうしを繋ぐ仮想線ｉの中心付近Ａは材料の組織破壊が小さく、強度があまり落ちない状態を保つ。したがって、このヒンジ部Ｚ２においても、折り曲げ時の反発力が小さくなるとともに、繰り返し折り曲げても切れにくいものとなる。
【００１９】
図５−ａ、ｂはヒンジ部Ｚのさらに別の例を示す部分拡大平面図であり、ヒンジ部Ｚ３は、折り曲げ線を構成すべく断続的に並んで設けられた複数の両端カギ状の切れ目３からなり、そして、各切れ目３はそれらの端３ａが並び方向Ｘに離間した状態で、かつ、並び方向Ｘに向かって二直線上に左右交互に設けられている。しかも、隣接する切れ目３の折れ曲がり方向が同じ向きとなるように両端カギ状に形成されている。
【００２０】
このヒンジ部Ｚ３を切れ目３の並び方向Ｘで折り曲げると、前記したのと同様に一種のねじれ現象を生じながら折り曲げが行われる。ただ、このヒンジ部Ｚ３の場合も、隣接する切れ目３の折れ曲がり方向が仮想線ｉと同じになっており、切れ目３の端での組織破壊がスムースであるため、先に説明した直線状の切れ目１からなるヒンジ部Ｚ１に比べると折り曲げやすい。
【００２１】
このように折り曲げが行われることにより、切れ目３の端に近い部分は材料の組織破壊が大きくなるが、隣接する切れ目３の向かい合う端どうしを繋ぐ仮想線ｉの中心付近Ａは材料の組織破壊が小さく、強度があまり落ちない状態を保つ。したがって、このヒンジ部Ｚ３においても、折り曲げ時の反発力が小さくなるとともに、繰り返し折り曲げても切れにくいものとなる。
【００２２】
図６−ａ、ｂはヒンジ部Ｚのさらに別の例を示す部分拡大平面図であり、ヒンジ部Ｚ４は、折り曲げ線を構成すべく断続的に並んで設けられた複数の湾曲状の切れ目４からなり、そして、各切れ目４はそれらの端４ａが並び方向Ｘに離間した状態で、かつ、並び方向Ｘに向かって二直線上に左右交互に設けられている。しかも、隣接する切れ目４の仮想延長線が繋がるような曲線で形成されている。
【００２３】
このヒンジ部Ｚ４を切れ目４の並び方向Ｘで折り曲げると、前記したのと同様に一種のねじれ現象を生じながら折曲げが行われる。ただ、このヒンジ部Ｚ４の場合も、隣接する切れ目４の延長方向が仮想線ｉと同じになっており、切れ目４の端での組織破壊がスムースであるため、先に説明した直線状の切れ目１からなるヒンジ部Ｚ１に比べると折り曲げやすい。
【００２４】
このように折り曲げが行われることにより、切れ目４の端に近い部分は材料の組織破壊が大きくなるが、隣接する切れ目４の向かい合う端どうしを繋ぐ仮想線ｉの中心付近Ａは材料の組織破壊が小さく、強度があまり落ちない状態を保つ。したがって、このヒンジ部Ｚ４においても、折り曲げ時の反発力が小さくなるとともに、繰り返し折り曲げても切れにくいものとなる。
【００２５】
一方、蓋体２０の部分では、蓋体天板２１が本体後板１３の下辺に折れ線ｇを介して連設され、そして、この蓋体天板２１の下辺には、蓋体前板２２が折れ線ｈを介して連設されている。また、蓋体天板２１の両側辺には、蓋体側板２３，２３がそれぞれ折れ線ｋ、ｋを介して連設され、蓋体前板２２の両側辺には、蓋体折り込み片２４、２４がそれぞれ折れ線ｉ、ｉを介して連設されている。この蓋体２０は、本体後板上部１３ａと共に、ヒンジ部Ｚで開閉される。また、蓋体前板２２には使用時に切り離して鋸刃Ｃを露出させるための切り取り部２２ａが破断線Ｄで区画され、その切り取り部２２ａが貼り合せられる本体前板１１の部分には、表面からの半切れで形成した複数の接着領域Ｈが形成されている。この接着領域Ｈで、本体前板１１に蓋体前板２２の切り取り部２２ａが貼り合わされる。
【００２６】
つぎに、上記の構成からなる板紙製のブランクを組み立ててロール状包装材料収納カートンを形成する工程を、本発明のロール状包装材料収納カートンＡを例にあげて説明する。すなわち、カートンＡ１の必要な箇所に糊付けしつつ折れ線に従って折り曲げて折り畳まれたロール状包装材料収納カートンＡを作製し、その後、自動充填包装ラインでロール状包装材料収納カートンＡの中にラップフィルムＳが紙管Ｔに巻かれたロール状包装材料Ｒを収納する。
【００２７】
まず、折り返し板１７を、図７−ａに示すように、折れ線ｆで内側に折り返し、本体前板１１の裏面の上縁部に貼り合わせる。ついで、本体前板１１を折れ線ａで内側に折り曲げる。さらに、図７−ｂに示すように、蓋体天板２１を折れ線ｇで折り曲げて蓋体前板２２を本体前板１１の上に重ね、蓋体前板２２の切り取り部２２ａと本体前板１１に貼り合せて、図７−ｃに示すような折り畳まれたロール状包装材料収納カートンＡを作製する。このように折り畳まれた状態において、内容物のロール状包装材料Ｒを充填する前の保管、輸送等を行う。
【００２８】
つぎに、自動充填包装ラインでロール状包装材料収納カートンＡに内容物のラップフィルムＳ等が巻かれたロール状包装材料Ｒを収納する。折り畳まれた状態のロール状包装材料収納カートンＡを起こして、図８−ａに示すような四角柱形状とし、一方の側面の開口部からロール状包装材料Ｒを挿入する。ロール状包装材料Ｒを挿入した後、図８−ｂに示すように、本体折り込み片１４、１６を折り曲げ、そして、その上に本体側板１５を折り曲げて本体折り込み片１４、１６と側板１５を貼り合わせる。ついで、蓋体折り込み片２４を折り曲げ、その上に、蓋体側板２３を折り曲げて貼り合わせることによって、一方の側面が形成される。同様にして、もう一方の側面を形成して、図８−ｃに示すようなロール状包装材料収納カートンＡが完成される。
【００２９】
実際に、本発明のロール状包装材料収納カートンＡを使用するには、図９に示すように、蓋体前板２２の切り取り部２２ａを本体前板１１から剥がしながら破断線Ｄに沿って切り取って除去した後、図１に示すように蓋体２０を開け、中のラップフィルムＳの端縁を摘んで所望の長さだけ引き出してから鋸刃Ｃで切断する。この時、蓋体２０とカートン本体１０の本体後板１３の上部の本体後板上部１３ａとが、ヒンジＺで折り曲げられて開封される。ヒンジＺは一度折り曲げられると抵抗が小さくなり、反発力も小さくなるため、蓋の開閉が容易で安全なロール状包装材料収納カートとなる。
【００３０】
さらに、上記の具体例ではロール状包装材料収納カートンについて説明したが、本発明はカートン本体と蓋体とが一体構成されるロール状包装材料収納カートン一般について適用可能であり、また、実施例で示したような直線状の鋸刃を備えたカートンのみならず、中央部がＶ字状に突出したいわゆるＶ字形状の鋸刃が取り付けられたカートンにも適用できることは言うまでもない。
【産業上の利用可能性】
【００３１】
本発明のロール状包装材料収納カートンは、主にラップフィルムのロール状包装材料を収納するカートンであり、材料は、例えば、塩化ビニリデン系、塩化ビニール系、ポリエチレン系等の合成樹脂フィルムである。また、ラップフィルム以外にも、アルミホイル、ワックスペーパー、その他家庭または店舗等でのロール状包装材料を収納するロール状包装材料収納カートンにも利用可能なものである。
【図面の簡単な説明】
【００３２】
【図１】本発明のロール状包装材料収納カートンの実施の形態の一実施例を示す斜視図である。
【図２】図１に示すロール状包装材料収納カートンを形成するブランクの展開図である。
【図３】本発明のロール状包装材料収納カートンのヒンジ部の一例を示す部分拡大平面図である。
【図４】本発明のロール状包装材料収納カートンのヒンジ部の別の例を示す部分拡大平面図である。
【図５】本発明のロール状包装材料収納カートンのヒンジ部のさらに別の例を示す部分拡大平面図である。
【図６】本発明のロール状包装材料収納カートンのヒンジ部のさらに別の例を示す部分拡大平面図である。
【図７】本発明のロール状包装材料収納カートンを折り畳まれた状態に組み立てる工程を説明する図である。
【図８】本発明のロール状包装材料収納カートンにロール状包装材料を収納する工程を説明する図である。
【図９】本発明のロール状包装材料収納カートンを開封する状態を示す斜視図である。
【符号の説明】
【００３３】
Ａ    ロール状包装材料収納カートン
Ａ１  ブランク
１０    カートン本体
１１    本体前板
１２    本体底板
１３    本体後板
１３ａ  本体後板上部
１４    本体折り込み片
１５    本体側板
１６    本体折り込み片
１７    折り返し板
２０    蓋体
２１    蓋体天板
２２    蓋体前板
２２ａ  切り取り部
２３    蓋体側板
２４    蓋体折り込み片
Ｒ    ロール状包装材料
Ｓ    ラップフィルム
Ｔ    紙管
Ｈ    接着領域
Ｃ    鋸刃
Ｄ    切断線
Ｚ    ヒンジ部
ａ〜ｊ  折れ線
【図１】
2006298448.tif 000003
【図２】
2006298448.tif 000004
【図３】
2006298448.tif 000005
【図４】
2006298448.tif 000006
【図５】
2006298448.tif 000007
【図６】
2006298448.tif 000008
【図７】
2006298448.tif 000009
【図８】
2006298448.tif 000010
【図９】
2006298448.tif 000011